(57)【特許請求の範囲】
【請求項１】
ボイスコイルボビンと接合する内周部と、フレームと接合する外周部と、該内周部と該外周部とを連結する同心円状のコルゲーションから構成される支持可動部とを備え、
該支持可動部の該コルゲーションが、複数の山部および複数の谷部を有し、
異なる同心円により規定される内径部および外径部により大きさが定まる円弧状の孔が、該山部または該谷部の頂点を含む位置に形成されて隣接する該谷部または該山部との境界にまで至らない該大きさで、複数の該山部または複数の該谷部のいずれか一方に設けられる、
ダンパー。
【請求項２】
前記孔が、同一の同心円上の前記山部または前記谷部に複数設けられる、
請求項１に記載のダンパー。
【請求項３】
複数の前記孔が、前記同心円上において略均等間隔に配置されている、
請求項２に記載のダンパー。
【請求項４】
請求項１から３のいずれかに記載のダンパーを備えたスピーカー。
【発明の詳細な説明】
【技術分野】
【０００１】
本発明は、音響再生のためのスピーカーに用いるダンパー、およびこれを用いたスピーカーに関する。
【背景技術】
【０００２】
スピーカー用のダンパーは、振動板およびボイスコイルボビンを含む振動系を所定位置に支持し、かつ、良好に振動可能にするために、その内周部がボイスコイルボビンに接合し、その外周部がフレーム又は磁気回路等に接合し、支持可動部が内周部と外周部とを連結する。従来のダンパーでは、支持可動部を波形のコルゲーションとしたコルゲーションダンパーが多く使用され、綿糸、アラミド繊維糸等の織布にフェノール樹脂、メラミン樹脂等の樹脂を含浸したプリプレグを基材として、金型で加熱成型することにより製造される。スピーカーが円形振動板を備える場合には、ダンパーの内周部および外周部と、支持可動部のコルゲーションとは、同心円状に形成されることが多い。
【０００３】
コルゲーションダンパーの形状および材料などについては、小入力信号に対する振幅変位の直線性確保、および、大入力信号に対する振幅制限という、相反する性能が求められるので、従来から様々な検討がなされている。例えば、スティフネス対称性および振幅対称性を改善するために、山部と谷部とを有する複数のコルゲーションを含み、最外周部の山谷間ピッチがそれ以外の山谷間ピッチよりも大きく、最外周部の山部の高さが他の山部の高さよりも高く、最外周部の山部の半径が他の山部の半径よりも小さくされたダンパーがある（特許文献１）。また、支持可動部が、内周部から延設される平坦部と、平坦部から延設されて複数の奇数の山部および複数の奇数よりも１つ少ない偶数の谷部を有するコルゲーション部と、を含み、平坦部が、基準平面を規定する外周部よりも寸法ｈ０だけ高い位置の平面上に設けられるとともに、コルゲーション部の隣り合う２つの山部の間の半径方向の距離ｄｘが、内周部側から外周部側に向かうにつれて小さくなり、最も内周側および最も外周側の山部を除いて、ひとつの山部とその両側に位置するそれぞれの谷部との間の半径方向の距離ｄｙが、内周部側および外周部側でそれぞれ等しく、最も外周側の山部と外周部の内周端との間の半径方向の距離ｄｎが、最も外周側の山部とその内周側に位置する谷部との間の半径方向の距離ｄｍよりも大きく、コルゲーション部の山部および谷部の基準平面からの高さ寸法ｈが、コルゲーション部の中央部で最も高く、内周部側または外周部側に至るにつれて順次低くなるダンパーがある（特許文献２）。
【０００４】
また、コルゲーションダンパーには、コルゲーション部に表面と裏面とを連通する孔が形成されている場合がある。例えば、振動板及びボイスコイルボビンを保持する気密なダンパーに複数の透孔を穿ち、ボイスコイルボビン上部を気密なキャップで塞ぎ、ダンパーとキャップの下方にダンパーの透孔から空気を出し入れ可能とした空間部を設けたスピーカーがある（特許文献３）。また、天然繊維または合成繊維からなる基布に硬化性の樹脂を含浸し、更に弾性樹脂をコーティングし加熱成形したスピーカー用ダンパーであって、少なくとも１ヶ所以上の通気孔を設けたものがある（特許文献４）。また、支持可動部のコルゲーションが、複数の切欠孔を備え、切欠孔とコルゲーションの任意の同心円との２つの交点により規定される切欠孔の円周方向の幅が、半径方向に内周側から外周側に至るにつれて減少するダンパーがある（特許文献５）。
【０００５】
【特許文献１】特許第３８３５２１１号公報  （第１図〜第６図）
【特許文献２】特許第４７６５１３１号公報  （第１図〜第２図）
【特許文献３】特開平１１−２６２０９０号公報  （第１図〜第３図）
【特許文献４】特開２０００−１８４４９４号公報  （第１図）
【特許文献５】特許第３８７６９０１号公報  （第１図〜第２図）
【０００６】
しかしながら、従来技術のダンパーでは、いずれも充分ではない。コルゲーションダンパーは、振幅変位の直線性確保と必要な振幅を取ること、あるいは、前後振幅の対称性の点で改善が両立しない場合があり、孔を有するダンパーの支持可動部を設計する上で、効率よく設計することが困難であるという問題がある。なお、前後振幅の前後とは、スピーカーの振動板が振動する場合に、ダンパーが取り付けられる側を後側とし、振動板が露出する側を前側としている。
【発明の概要】
【発明が解決しようとする課題】
【０００７】
本発明は、上記の従来技術が有する問題を解決するためになされたものであり、その目的は、ダンパーおよびこれを用いたスピーカーに関し、コルゲーション部分に孔を有する場合であっても、前後振幅の対称性がよく、歪が少ないダンパーおよびスピーカーを提供することにある。
【課題を解決するための手段】
【０００８】
本発明のダンパーは、ボイスコイルボビンと接合する内周部と、フレームと接合する外周部と、内周部と外周部とを連結する同心円状のコルゲーションから構成される支持可動部とを備え、支持可動部のコルゲーションが、複数の山部および複数の谷部を有し、異なる同心円により規定される内径部および外径部により大きさが定まる円弧状の孔が、山部または谷部の頂点を含む位置に形成されて隣接する谷部または山部との境界にまで至らない大きさで、複数の山部または複数の谷部のいずれか一方に設けられる。
【００１０】
また、好ましくは、本発明のダンパーは、孔が、同一の同心円上の山部または谷部に複数設けられる。
【００１１】
また、好ましくは、本発明のダンパーは、複数の孔が、同心円上において略均等間隔に配置されている。
【００１２】
また、好ましくは、本発明のスピーカーは、本発明のいずれかのダンパーを備える。
【００１３】
以下、本発明の作用について説明する。
【００１４】
本発明のダンパーは、支持可動部が複数の山部と谷部とを有するコルゲーションを有するダンパーであって、ボイスコイルボビンと接合する内周部と、フレームと接合する外周部と、内周部と外周部とを連結する支持可動部とを備える。支持可動部は、コルゲーションの他に内周部または外周部から延設される平坦部を含んでいてもよく、平面状で同一の基準平面は、内周部または外周部を含むように規定されていてもよく、あるいは、複数の山部と谷部との境界を結ぶ平面として規定されていてもよい。
【００１５】
コルゲーションの山部は、ダンパーを表側から見た場合のコルゲーションが最も高くなる頂きの部分であり、一方でコルゲーションの谷部は、ダンパーを表側から見た場合のコルゲーションが最も低くなる底の部分である。支持可動部のコルゲーションは、複数の山部および複数の谷部を有すればよく、好ましくは、合わせて５つ以上程度が適当である。なお、ダンパーの表側とは、略平面状のダンパーの一方の面側であれば良いが、一般的にはダンパーを備えるスピーカーが構成された場合にスピーカーの振動板に近い前側に対応し、表側の反対側である裏側は、スピーカーの磁気回路に近い後側に対応する。
【００１６】
ここで、支持可動部のコルゲーションには、山部または谷部の頂点を含む位置に形成されて隣接する谷部または山部との境界にまで至らない大きさの孔が、複数の山部または複数の谷部のいずれか一方に設けられる。つまり、本発明のダンパーでは、コルゲーションの複数の山部に孔が設けられているか、コルゲーションの複数の谷部に孔が設けられているか、のいずれかまたはその両方である。したがって、本発明のダンパーは、前後振幅の対称性を、孔をコルゲーションの複数の山部に設けるか、複数の谷部に設けるかを変更することにより、孔を設けない場合よりも改善することができる。
【００１７】
ダンパーの孔は、異なる同心円により規定される内径部および外径部を有する円弧状であってもよい。また、ダンパーの孔は、同一の同心円上の山部または谷部に複数設けられてもよい。円弧状の孔の長さを変えることで、あるいは、配置する孔の数を変えることで、コルゲーションの山部または谷部の固さ／柔らかさを調整することができる。ダンパーの前後対称性を改善することで、スピーカーの再生する音声の歪みを低減することができる。ダンパーの複数の孔が、同心円上において略均等間隔に配置されている場合には、ダンパーの前後対称性の改善のみならず、安定して動作するスピーカーを実現できる。
【発明の効果】
【００１８】
本発明のダンパーは、コルゲーション部分に孔を有して前後振幅の対称性を改善することができ、その結果、再生音声に歪が少ないスピーカーを提供することができる。
【図面の簡単な説明】
【００１９】
【図１】本発明の好ましい実施形態によるスピーカー用ダンパー１ａについて説明する図である。（実施例１）
【図２】本発明の好ましい実施形態によるスピーカー用ダンパー１ｂについて説明する図である。（実施例１）
【図３】スピーカー用ダンパーの静荷重に対する変位特性を説明する特性図である。（実施例１、従来例１）
【図４】本発明の他の好ましい実施形態によるダンパー１ｃについて説明する図である。（実施例１）
【発明を実施するための形態】
【００２０】
以下、本発明の好ましい実施形態によるダンパーおよびこれを用いたスピーカーについて説明するが、本発明はこれらの実施形態には限定されない。
【実施例１】
【００２１】
図１は、本発明の好ましい実施形態によるスピーカー用ダンパー１ａについて説明する図であり、図１（ａ）は平面図であり、図１（ｂ）はＬ−Ｏ−Ｘ断面図である。スピーカー用ダンパー１ａは、（図示しない）ボイスコイルボビンと接合する平面を備える内周部２と、（図示しない）フレームと接合する平面を備える外周部３と、内周部２と外周部３とを連結する波形で円周状のコルゲーション４から構成される支持可動部とを備え、支持可動部のコルゲーション４が、複数の孔５を備える。
【００２２】
コルゲーション４は、複数の山部６と谷部７とを有する。コルゲーション４の山部６は、スピーカー用ダンパー１ａを表側から見た場合のコルゲーションが最も高くなる頂きの部分である。本実施例の場合には、図１（ａ）に図示されている図１（ｂ）の断面図の上側が、スピーカー用ダンパー１ａの表側である。また、コルゲーション４の谷部７は、スピーカー用ダンパー１ａを表側から見た場合のコルゲーションが最も低くなる底の部分である。図１（ｂ）の断面図において、基準平面を示すＬ−Ｏ−Ｘの線は、内周部２または外周部３を規定し、また、複数の山部６と谷部７との境界を規定している。
【００２３】
スピーカー用ダンパー１ａは、綿およびポリエステル繊維の複数の縦糸及び横糸が概略直交する織布に、フェノール樹脂を含浸したプリプレグを基材とし、金型で加熱成型されて、内周および外周を切断されて形成されるダンパーである。なお、スピーカー用ダンパー１ａの基材の織布は、複数の縦糸がＸ軸方向、複数の横糸がＹ軸方向に、そしてこれらが概略直交するように編み込まれており、図１の領域８は、織布の織目方向を模式的に表している。
【００２４】
本実施例のスピーカー用ダンパー１ａでは、複数の孔５は、山部６の頂点を含む位置に形成されて隣接する谷部７との境界にまで至らない大きさの孔であって、複数の山部６に設けられる。複数の孔５は、それぞれが異なる同心円により規定される内径部および外径部を有する円弧状であって、同心円状に中心Ｏから９０度の均等な間隔で配置されている。本実施例では、複数の孔５は、３つの同心円上に規定される山部６に設けられて、周方向に４つずつ、合計１２カ所に配置されている。また、複数の孔５は、例えば異なる同心円上に配置される３つが中心Ｏから半径方向Ｌに向かって揃って１列に配置されている。
【００２５】
図２は、本発明の他の好ましい実施形態によるスピーカー用ダンパー１ｂについて説明する図であり、図２（ａ）は平面図であり、図２（ｂ）はＬ−Ｏ−Ｘ断面図である。スピーカー用ダンパー１ｂは、上述のスピーカー用ダンパー１ａと複数の孔５の配置が異なる他は共通するスピーカー用ダンパーである。したがって、共通する部分は共通の符号を用い、重複する説明は省略する。
【００２６】
スピーカー用ダンパー１ｂでは、複数の孔５は、谷部７の頂点を含む位置に形成されて隣接する山部６との境界にまで至らない大きさの孔であって、複数の谷部７に設けられる。複数の孔５は、それぞれが異なる同心円により規定される内径部および外径部を有する円弧状であって、同心円状に中心Ｏから９０度の間隔で配置されている。本実施例では、複数の孔５は、３つの同心円上に規定される谷部７に設けられて、周方向に４つずつ、合計１２カ所に配置されている。また、複数の孔５は、例えば異なる同心円上に配置される３つが中心Ｏから半径方向Ｌに向かって揃って１列に配置されている。
【００２７】
図３は、スピーカー用ダンパーについて、静荷重に対する変位特性を説明する特性図である。具体的には、静荷重に対する変位特性は、５０ｇの重りを用いて、それぞれ「表」の場合と「裏」の場合とを測定して、前後振幅変位の対称性を測定する。このグラフにおいて、「表」の場合と「裏」の場合とが近い静荷重変位値を示すものが、前後振幅の対称性が良好なスピーカー用ダンパーを示すことになる。例えば、「表」の場合には、表側を上向きにして外周部３を固定したスピーカー用ダンパーの内周部２に５０ｇの重りを載せて、内周部２の変位値を測定する。「裏」の場合には、表側を下向きにして同様に測定する。
【００２８】
図３の測定では、上記実施例のスピーカー用ダンパー１ａと、１ｂと、（図示しない）比較例の複数の孔５を備えないスピーカー用ダンパー１０と、をそれぞれ３つのサンプルについて測定した測定値を表示している。なお、上記実施例のスピーカー用ダンパー１ａと、１ｂと、比較例のスピーカー用ダンパー１０とでは、複数の孔５の有無／配置以外の条件は同一である。したがって、スピーカー用ダンパー１ａと、１ｂと、１０との比較は、複数の孔５を設ける位置の相違、つまり、複数の孔５を山部６に設ける場合と、複数の孔５を谷部７に設ける場合と、複数の孔５を設けない場合と、についての作用効果の相違を示すことができる。
【００２９】
最初に、比較例のスピーカー用ダンパー１０では、「１０：表」の場合と「１０：裏」の場合とが近い静荷重変位値を示しており、前後振幅の対称性が良好なスピーカー用ダンパーであることが分かる。複数の孔５を備えない比較例のスピーカー用ダンパー１０は、本発明の複数の孔５を設ける位置の相違を明確にするべく、前後振幅の対称性が良好なものを選定している。
【００３０】
次に、実施例のスピーカー用ダンパー１ａまたは１ｂでは、比較例のスピーカー用ダンパー１０に比べて変位量が大きくなっている。これは、複数の孔５を備えることで支持可動部のスティフネスが低下して柔らかくなっていることを示す。また、「表」の場合と「裏」の場合とが異なる静荷重変位値を示すようになっている。具体的には、スピーカー用ダンパー１ａでは、「１ａ：表」の場合と「１ａ：裏」の場合とで「１ａ：表」の場合の方が大きい静荷重変位値を示し、一方で、スピーカー用ダンパー１ｂでは、「１ｂ：表」の場合と「１ｂ：裏」の場合とで「１ｂ：裏」の場合の方が大きい静荷重変位値を示している。
【００３１】
この結果は、本実施例のスピーカー用ダンパー１ａのように、コルゲーションの複数の山部６に複数の孔５を設ける場合には、前後振幅の対称性を前側に振れやすく調整可能であることを示唆し、また、本実施例のスピーカー用ダンパー１ｂのように、コルゲーションの複数の谷部６に複数の孔５を設ける場合には、前後振幅の対称性を後側に振れやすく調整可能であることを示唆している。
【００３２】
したがって、仮にコルゲーション部分に孔を有しない前後振幅の対称性が優れないスピーカー用ダンパーが存在する場合には、本実施例のスピーカー用ダンパー１ａまたは１ｂのように、コルゲーションの複数の山部６または谷部７に複数の孔５を設ければ、前後振幅の対称性を前側または後側に振れやすくするように調整可能である。スピーカー用ダンパーの設計において、上下振幅の対称性に関する検討をシミュレーションによって行った場合であっても、成形型を起型して製作されたスピーカー用ダンパーの上下変位量がシミュレーションと合致しない場合がある。この様な場合には、新たに成形型を起こす以外に上下振幅の対称性をコントロールする術がないが、上記の様にコルゲーションの複数の山部６または谷部７に複数の孔５を設ければ、前後振幅の対称性を前側または後側に振れやすくするように調整可能である。
【００３３】
つまり、本実施例のスピーカー用ダンパー１ａまたは１ｂのようにコルゲーションの複数の山部６に複数の孔５を設けたスピーカー用ダンパーを用いるスピーカー（図示しない）は、前後振幅の対称性を改善でき、その結果、スピーカー用ダンパーの内周部２と接合するボイスコイルボビンを含む振動系の振動が改善され、音質および耐久性に優れるスピーカーとなる。
【００３４】
複数の孔５の大きさおよび位置は、スピーカー用ダンパー１ａまたは１ｂの複数の山部６および複数の谷部７を有する支持可動部４のコルゲーションの形状により、自由に設定し得る。複数の孔５のそれぞれは、山部６または谷部７の頂点を含む位置に形成されて隣接する谷部７または山部６との境界にまで至らない大きさであればよく、単純な丸孔であってもよく、好ましくは、上記実施例の様な異なる同心円により規定される内径部および外径部を有する円弧状であってもよい。円弧状の孔５の長さを変えることで、コルゲーションの山部６または谷部７の固さ／柔らかさを調整することができる。
【００３５】
また、複数の孔５は、同一の同心円上の山部６または谷部７に複数設けられていればよい。配置する複数の孔５の数を変えることで、コルゲーションの山部６または谷部７の固さ／柔らかさを調整することができる。単一の同心円上の山部６または谷部７に設けられる複数の孔５の円周方向の長さが、全体の円周長に占める割合が大きくなるほど、複数の孔５が与える影響を大きくすることができる。配置する複数の孔５の大きさを変えることで、コルゲーションの山部６または谷部７の固さ／柔らかさを調整することができる。
【００３６】
また、コルゲーション４を構成する基材が、複数の縦糸及び横糸が概略直交する織布であるので、例えば、複数の孔５の間に形成される支持可動部４の支持アームでは、横糸がＸ軸方向で、かつ、縦糸がＹ軸方向になり、半径方向（ここではＸ軸方向）には編目が延びにくくなっている。他の３つの支持アームにおいても同様であり、中心Ｏに対してほぼ直交した編目が形成されるので、スピーカー用ダンパー１ａまたは１ｂの内周部２が大きく振幅変位する際には、支持アームを延びにくく調整することができる。
【００３７】
本実施例のスピーカー用ダンパー１ａまたは１ｂでは、中心Ｏと複数の孔５とを結ぶ直線Ｌが、Ｘ軸およびＹ軸に対して概略４５度の関係となる方向に孔５ａを配置するようにしたが、この角度は、０度から９０度の間で変更できる。例えば、中心Ｏと孔５ａとを結ぶ直線Ｌが、Ｘ軸に近づく０度（もしくはＹ軸に近づく９０度）の場合であれば、複数の縦糸及び横糸からなる編目が広がりやすくなるので、スピーカー用ダンパー１ａまたは１ｂの内周部２が大きく振幅変位する際には、支持アームを延びやすいように調整することができる。したがって、本発明のスピーカー用ダンパーは、コルゲーション４の形状変化のみならず、４カ所の孔を設ける場合に、一つの目の孔を配置する角度を０度から９０度の間で変更することにより、振幅変位の直線性、および、振幅制限性の調整が可能である。
【００３８】
また、複数の孔５の数は、本実施例の１２に限らず、複数であればよい。また、孔の配置も円周方向に等間隔である必要はなく、内周部２および外周部３の形状に基づいて不均等でもよい。具体的には、円形スピーカー用のダンパーに限らず、楕円形や、トラック形といったスピーカーに用いるダンパーであって、長径および短径を備えるダンパーに孔を設けたものであればよい。
【００３９】
図４は、本発明の他の好ましい実施形態によるスピーカー用ダンパー１ｃについて説明する図であり、図４（ａ）は平面図であり、図４（ｂ）はＬ−Ｏ−Ｍ断面図である。なお、図４において、実施例１と共通する部分は共通の符号を用い、説明は省略する。
【００４０】
本実施例のスピーカー用ダンパー１ｃでは、複数の孔５は、山部６の頂点を含む位置に形成されて隣接する谷部７との境界にまで至らない大きさの孔であって、複数の山部６に設けられるのは、先の実施例のスピーカー用ダンパー１ａと共通する。複数の孔５は、それぞれが異なる同心円により規定される内径部および外径部を有する円弧状であって、同心円状に中心Ｏから１２０度の均等な間隔で配置されている点で相違する。
【００４１】
また、本実施例では、複数の孔５は、３つの同心円上に規定される山部６に設けられて、周方向に３つずつ、合計９カ所に配置されているが、複数の孔５は、例えば異なる同心円上に配置される３つが中心Ｏから半径方向ＬまたはＭに向かって揃って１列に配置されておらず、いずれの同一の半径方向には重ならないように配置されている。
【００４２】
複数の孔５を設ける方法としては、スピーカー用ダンパーの内周および外周を切断する際に単一の切断型により同時に切断してもよく、また、形成されたスピーカー用ダンパーに対して、孔を設けるための切断治具によって作業してもよい。
【００４３】
また、本発明のスピーカー用ダンパーの基材は、綿及びポリエステル繊維、もしくはアラミド繊維の織布もしくは不織布でもよく、含浸する樹脂も、フェノール樹脂、もしくは、メラミン樹脂でもよい。本発明は、コルゲーションを備えた熱硬化性樹脂を含むダンパーであれば、基材の材料に制限されない。
【産業上の利用可能性】
【００４４】
本発明のスピーカー用ダンパーは、これを用いたスピーカーに限られず、ダンパーと、ボイスコイル等の振動系を備える他の加振器や、センサー等の動電型の電機−機械変換器にも適用が可能である。ダンパーの内周部に接合するのは、磁気回路であってもよく、磁気回路が振動する加振器に適する。
【符号の説明】
【００４５】
１ａ、１ｂ、１ｃ    スピーカー用ダンパー
２            内周部
３            外周部
４            コルゲーション
５            孔
６            山部
７            谷部
【図１】
0006555013.tif 000002
【図２】
0006555013.tif 000003
【図３】
0006555013.tif 000004
【図４】
0006555013.tif 000005